(57)【要約】【課題】第１に、建物側への照り返しを防ぐことができる屋外用床仕上げ材を提供すること、第２に、建物側への照り返しを防ぐことである。【解決手段】バルコニー床仕上げ材２５において、その表面には多数連続して断面三角山状の突状部２６が形成されている。つまり、各突状部２６は縞状に並んで設けられている。突状部２６において、表面側の２つの傾斜面２７，２８はそれぞれ非対称面となっており、図の左側の傾斜面２７はその傾斜が比較的緩く、図の右側の傾斜面２８はその傾斜が比較的きついものとなっている。傾斜面２７は、入射する太陽光を同入射側又は直上側に反射させる太陽光反射面となっている。【選択図】      図４
2007285063.tif 000002
【特許請求の範囲】
【請求項１】
建物本体に隣接するバルコニーやテラス等の床仕上げ材として用いられる屋外用床仕上げ材であって、
表面側に２つの傾斜面を有してなる突状部を多数縞状に設け、前記２つの傾斜面のうち一方を、入射する太陽光を同入射側又は直上側に反射させる太陽光反射面としたことを特徴とする屋外用床仕上げ材。
【請求項２】
前記突状部の２つの傾斜面を非対称面とし、そのうち太陽光反射面の傾斜角度を小さく、他方の傾斜面の傾斜角度を大きくしたことを特徴とする請求項１に記載の屋外用床仕上げ材。
【請求項３】
春分又は秋分の日射角度を基準とし、春分又は秋分時期に太陽光が直上側に反射されるように前記太陽光反射面の傾斜角度を規定したことを特徴とする請求項１又は２に記載の屋外用床仕上げ材。
【請求項４】
１年を照り返し防止期間とそれ以外の期間とで分けた場合に、照り返し防止期間内における最小の日射角度を基準に、前記太陽光反射面の傾斜角度を規定したことを特徴とする請求項１又は２に記載の屋外用床仕上げ材。
【請求項５】
前記照り返し防止期間内での最小の日射角度をＸ、水平面に対する前記太陽光反射面の傾斜角度をαとした場合に、同傾斜角度αを、
α≧（９０°−Ｘ）／２
として規定したことを特徴とする請求項４に記載の屋外用床仕上げ材。
【請求項６】
前記太陽光反射面を、水平面に対して傾斜角度を１７．５°以上の角度で形成した請求項１又は２に記載の屋外用床仕上げ材。
【請求項７】
夏至の日射角度を基準とし、夏至の時に太陽光が直接当たらないように、前記突状部において太陽光反射面とは逆側の傾斜面の傾斜角度を規定したことを特徴とする請求項１乃至６のいずれかに記載の屋外用床仕上げ材。
【請求項８】
前記突状部の高さ寸法を１〜５ｍｍ程度にしたことを特徴とする請求項１乃至７のいずれかに記載の屋外用床仕上げ材。
【請求項９】
前記多数の突状部の設置間隔を３〜１５ｍｍ程度にしたことを特徴とする請求項１乃至８のいずれかに記載の屋外用床仕上げ材。
【請求項１０】
前記突状部の頂部に面取りが施されていることを特徴とする請求項１乃至９のいずれかに記載の屋外用床仕上げ材。
【請求項１１】
バルコニーやテラス等の床面上に、請求項１乃至１０のいずれかに記載の屋外用床仕上げ材を前記太陽光反射面を建物本体とは逆向きにして設置したことを特徴とする建物。
【請求項１２】
バルコニーやテラス等の床面上に、請求項１乃至１０のいずれかに記載の屋外用床仕上げ材を前記太陽光反射面を南向きにして設置したことを特徴とする建物。
【発明の詳細な説明】
【技術分野】
【０００１】
本発明は、屋外用床仕上げ材、及びそれを設置した建物に関するものである。
【背景技術】
【０００２】
住宅等の建物では、建物本体に隣接してバルコニーやテラスなどが設けられることがある。その概要を図７に示す。図７において、建物４０では建物本体４１に窓部４２が設けられ、窓部４２の屋外側にバルコニー４３が設けられている。かかる構成では、バルコニー４３の床面に太陽光が当たると、照り返しによって太陽光が窓部４２を介して居室４４内に入り、太陽熱により居室４４内の天井部４５が暖められる。この場合、天井部４５が蓄熱材となるため、夏場などにおいては居室４４内が夜間まで暑くなってしまい、室内環境が悪いものとなる。また、冷房設備により居室４４内を冷やす場合に、余分な冷房エネルギを要するという不都合も生じる。故に、上記の不都合を解消するための対策が望まれている。
【０００３】
ちなみに、この種の関連技術として例えば特許文献１がある。同特許文献１のタイル材では、素地表面に凹凸面を形成し、その意匠性を向上させるようにしている。ただし、上記タイル材では建物側への照り返しを防止したりすることはできず、照り返し対策となる技術ではなかった。
【特許文献１】特公平６−４７５１２号公報
【発明の開示】
【発明が解決しようとする課題】
【０００４】
本発明は、第１に、建物側への照り返しを防ぐことができる屋外用床仕上げ材を提供すること、第２に、建物側への照り返しを防ぐことにより屋内環境を向上させることを目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の屋外用床仕上げ材（バルコニー床仕上げ材２５）は、建物本体（建物本体１１）に隣接するバルコニーやテラス等の床仕上げ材として用いられる。そして、屋外用床仕上げ材の特徴な構成として、表面側に２つの傾斜面（傾斜面２７，２８）を有してなる突状部（突状部２６）を多数縞状に設け、前記２つの傾斜面のうち一方を、入射する太陽光を同入射側又は直上側に反射させる太陽光反射面（第１傾斜面２７）とした。本構成によれば、屋外用床仕上げ材をバルコニーやテラス等の床仕上げ材として使用する場合に、太陽光の反射方向を入射側又は直上側とすることができるため、建物本体側への照り返しを防ぐことができる。
【０００７】
前記突状部の２つの傾斜面を非対称面とし、そのうち太陽光反射面の傾斜角度を小さく、他方の傾斜面の傾斜角度を大きくすると良い。これは、太陽光を直上側に反射させる上で好適な構成である。
【０００８】
春分又は秋分の日射角度を基準とし、春分又は秋分時期に太陽光が直上側に反射されるように太陽光反射面の傾斜角度を規定すると良い。この場合、基準とする春分又は秋分時期で建物本体側への照り返しが防止できる。また、春分又は秋分よりも夏寄りの時期は日差しが強いため、特に照り返しが問題となるが、当該時期は春分又は秋分よりも日射角度（太陽高度）が大きくなるため、春分又は秋分時期で建物本体側への照り返しが防止されていれば、春分又は秋分よりも夏寄りの時期でも同様に照り返しが防止できる。
【０００９】
ここで、日射角度（太陽高度）が小さいほど、建物本体側への照り返しが生じ易くなる。故に、１年を照り返し防止期間とそれ以外の期間とで分けた場合に、照り返し防止期間内における最小の日射角度（同時刻における日射角度）を基準に、前記太陽光反射面の傾斜角度を規定すると良い。この場合、照り返し防止期間（例えば、春分〜夏至〜秋分の期間）において、確実に建物本体側への照り返しを防止することが可能となる。
【００１０】
前記照り返し防止期間内での最小の日射角度をＸ、水平面に対する前記太陽光反射面の傾斜角度をαとした場合に、同傾斜角度αを、
α≧（９０°−Ｘ）／２        …（１）
として規定すると良い。図示すると、図６のとおりである。図中、Ｋが屋外用床仕上げ材の太陽光反射面である。上記のように傾斜角度αを規定することにより、入射する太陽光を同入射側又は直上側に反射させることが可能となる。
【００１１】
具体的な数値で言えば、春分又は秋分での日射角度は約５５°（東京で正午の日射角度）であり、Ｘ＝５５°として、上記（１）式に当てはめると、傾斜角度α≧１７．５°となる。故に、屋外用床仕上げ材の太陽光反射面を、水平面に対して傾斜角度を１７．５°以上の角度で形成すると良い。なお、傾斜角度αの最大値は９０°、又は太陽光反射面とは逆側の傾斜面の傾斜角度よりも小さい角度である。
【００１２】
なお、上記の数値は、東京での日射角度を基準としており、例えば東京よりも緯度が大きい場所では、春分又は秋分での日射角度が小さくなり、逆に東京よりも緯度が小さい場所では、春分又は秋分での日射角度が大きくなる。したがって、使用場所（建物の施工場所）によって、最適な傾斜角度αが変わると考えられる。又は、傾斜角度αが同一であれば、使用場所（建物の施工場所）によって、実際に照り返し防止が可能となる期間が変わると考えられる。
【００１３】
また、夏至の日射角度を基準とし、夏至の時に太陽光が直接当たらないように、前記突状部において太陽光反射面とは逆側の傾斜面（第２傾斜面２８）の傾斜角度を規定すると良い。この場合、太陽光反射面とは逆側の傾斜面を１年を通じて常に陰面とすることができる。具体的には、夏至での日射角度は約７８°（東京で正午の日射角度）であり、太陽光反射面とは逆側の傾斜面の傾斜角度を７８°以上にすると良い（実際には、７８°〜９０°の範囲内の角度とする）。
【００１４】
屋外用床仕上げ材の突状部の高さ寸法を１〜５ｍｍ程度にすると良い。より望ましくは、同高さ寸法を２〜４ｍｍ程度にすると良い。又は、前記多数の突状部の設置間隔（ピッチ寸法）を３〜１５ｍｍ程度にすると良い。より望ましくは、同設置間隔を５〜１２ｍｍ程度にすると良い。上記のように突状部の高さ寸法や設置間隔を規定することにより、住宅等の建物で使用する上で、好適なる構成が実現できる。例えば、降雨の後などには、雨水は各突状部の間の底部に溜まる。そのため、屋外用床仕上げ材の上を歩いても足が濡れにくくなる。
【００１５】
前記突状部の頂部に面取りが施されていると良い。この場合、屋外用床仕上げ材上を素足で歩いたとしても痛くない構成とすることができる。
【００１６】
バルコニーやテラス等を有する建物（建物１０）においては、前記太陽光反射面を建物本体とは逆向きにして、バルコニーやテラス等の床面上に屋外用床仕上げ材を設置すると良い。この場合、屋外用床仕上げ材の太陽光反射面が建物本体とは逆向きになっているため、太陽光の照り返しが建物本体側に差し込むことが防止できる。故に、建物において屋内環境を向上させることができる。
【００１７】
又は、バルコニーやテラス等を有する建物（建物１０）において、前記太陽光反射面を南向きにして、バルコニーやテラス等の床面上に屋外用床仕上げ材を設置すると良い。一般に、バルコニーやテラス等は建物本体の南側に設けられているため、屋外用床仕上げ材の太陽光反射面を南向きにすることで、太陽光の照り返しが建物本体側に差し込むことが防止できる。故に、建物において屋内環境を向上させることができる。
【発明を実施するための最良の形態】
【００１８】
以下、本発明を具体化した一実施形態を図面に基づいて説明する。図１は、建物の外観構成の一部を示す図である。
【００１９】
図１において、建物１０は２階建て住宅よりなり、建物本体１１の２階部分には窓部（ここでは掃き出し窓）１２が設けられている。符号１３は２階部分の屋根、符号１４は２階屋内側の天井、符号１５は居室である。
【００２０】
窓部１２の屋外側には、建物本体１１の南側に張り出すようにしてバルコニー２１が設けられている。バルコニー２１は、平坦状のバルコニー床２２と、バルコニー床２２を囲むように設けられた手摺り２３とを有している。バルコニー床２２上には一面に多数のバルコニー床仕上げ材２５が敷設されている。
【００２１】
次に、バルコニー床仕上げ材２５の詳細について説明する。図２（ａ）はバルコニー床仕上げ材２５を示す斜視図であり、図２（ｂ）はバルコニー床仕上げ材２５の断面図である。バルコニー床仕上げ材２５は合成樹脂による射出成形品であり、全体として四角板状をなしている。そのサイズは例えば３００ｍｍ角×厚み２０ｍｍである。ただし、同床仕上げ材２５を長方形板状としたり、長尺形状としたりすることも可能である。
【００２２】
バルコニー床仕上げ材２５の表面には、直線状をなす多数の溝が形成されている。この多数の溝は所定ピッチで同一方向に形成されており、この多数の溝により、多数連続して断面三角山状の突状部２６が形成されている。つまり、各突状部２６は縞状に並んで設けられている。突状部２６において、表面側の２つの傾斜面２７，２８はそれぞれ非対称面となっており、図の左側の傾斜面２７はその傾斜が比較的緩く、図の右側の傾斜面２８はその傾斜が比較的きついものとなっている。説明の便宜上以下、傾斜面２７を「第１傾斜面２７」、傾斜面２８を「第２傾斜面２８」という。第１傾斜面２７が「太陽光受光面」に相当する。
【００２３】
隣り合う突状部２６の間には、各突状部２６の延設方向に沿って長板状の脚部２９が形成されている。なお、脚部２９の設置間隔を拡げた構成（すなわち、脚部２９を間引いた構成）、又は脚部２９を設けない構成とすることも可能である。
【００２４】
建物１０においては、各突状部２６の第１傾斜面２７を南向きとして（逆に言えば、第２傾斜面２８を北向きとして）、バルコニー床仕上げ材２５がバルコニー床２２上に並べて設置される。また換言すれば、バルコニー床仕上げ材２５は、各突状部２６の第１傾斜面２７が建物本体１１の逆側を向くようにして設置される。この場合、図３に示すように、太陽光は、バルコニー上のバルコニー床仕上げ材２５に対して所定の日射角Ｘで入射し、各突状部２６の第１傾斜面２７に当たって反射する。その際、反射光は入射側へ反射するため、建物本体１１側への太陽光の照り返しが抑制される（図１参照）。
【００２５】
故に、居室１５に太陽光が差し込み、その太陽熱により天井１４が暖められるといった事態が回避できる。夏期においては、昼間の照り返しにより天井１４が蓄熱材となり、その蓄熱により夜間において居室１５内が暑くなるといった不都合が解消される。冷房効率の向上にも寄与でき、省エネルギ効果が期待できる。その他、太陽光の照り返しによる眩しさも解消できる。
【００２６】
次に、バルコニー床仕上げ材２５における突状部２６の具体的な寸法について図４を用いて説明する。
【００２７】
図４では、突状部２６において、水平面に対する第１傾斜面２７の傾斜角度をθ１、水平面に対する第２傾斜面２８の傾斜角度をθ２としている。この場合、第１傾斜面２７の傾斜角度θ１は１７．５°〜７８°の範囲内で規定され、第２傾斜面２８の傾斜角度θ２は７８°〜９０°の範囲内で規定されるものとしている。以下、その角度範囲の根拠を説明する。
【００２８】
要するに、建物本体１１側への太陽光の照り返しは、日射角度（太陽高度）が小さいほど生じ易くなる。本実施形態では、春分又は秋分よりも夏寄りの期間を照り返し防止期間とし、当該期間での照り返し防止を図ることとしている。そこで、春分又は秋分の日射角度を基準とし、春分又は秋分時期に太陽光が直上側に反射されるように第１傾斜面２７（太陽光反射面）の傾斜角度を規定する。
【００２９】
ここで、春分又は秋分の日射角度は約５５°（東京で正午の日射角度）であり、日射角度＝５５°とした場合に、太陽光を直上側に反射させるための第１傾斜面２７（太陽光反射面）の傾斜角度θ１は１７．５°となる。このとき、傾斜角度θ１≧１７．５°とすることにより、太陽光をその入射側又は直上側に反射させることが可能となる。
【００３０】
また、１年のうちで最も日射角度（太陽高度）が大きくなるのは夏至の正午であり、その日射角度は約７８°である。この場合、第２傾斜面２８の傾斜角度θ２を７８°以上とすれば、１年中のいずれの季節でも第２傾斜面２８に太陽光が直接当たることがなくなる。つまり、第２の傾斜面２８は常に陰面となる。また、加工の容易性や強度などを考慮すると、第２傾斜面２８の傾斜角度θ２の最大値は９０°であり、θ２＝７８°〜９０°とする。
【００３１】
なお、第２傾斜面２８の傾斜角度θ２を７８°〜９０°の範囲で規定したことに伴い、第１傾斜面２７の傾斜角度θ１の最大値を７８°とするのが望ましい。
【００３２】
ちなみに、上記の各数値は、東京での日射角度を基準としており、例えば東京よりも緯度が大きい場所では、春分又は秋分での日射角度が小さくなり、逆に東京よりも緯度が小さい場所では、春分又は秋分での日射角度が大きくなる。したがって、使用場所（建物の施工場所）によって、最適な傾斜角度θ１，θ２が変わると考えられる。又は、傾斜角度θ１，θ２が同一であれば、使用場所（建物の施工場所）によって、実際に照り返し防止が可能となる期間が変わると考えられる。
【００３３】
また、突状部２６の頂部（第１傾斜面２７と第２傾斜面２８との間の先端頂部）には、面取りが施されている。例えば、面取り寸法はＲ＝０．５ｍｍ程度である。この場合、バルコニー床仕上げ材２５上を素足で歩いたとしても痛くない構成とすることができる。
【００３４】
バルコニー床仕上げ材２５の突状部２６に関し、その他の具体的数値として、突状部の２６高さ寸法（図４の山高さＨ）を１〜５ｍｍ程度にすると良い。より望ましくは、同高さ寸法を２〜４ｍｍ程度にすると良い。また、多数の突状部２６の設置間隔（図４のピッチ間隔Ｐ）を３〜１５ｍｍ程度にすると良い。より望ましくは、同設置間隔を５〜１２ｍｍ程度にすると良い。上記のように突状部２６の高さ寸法や設置間隔を規定することにより、建物１０のバルコニー２２に設置する上で、好適なる構成が実現できる。例えば、降雨の後などには、雨水は各突状部２６の間の底部に溜まる。そのため、バルコニー床仕上げ材２５の上を歩いても足が濡れにくくなるなどのメリットがある。
【００３５】
以上詳述した本実施形態によれば、以下の優れた効果が得られる。
【００３６】
バルコニー床仕上げ材２５において、表面側に２つの傾斜面２７，２８を有してなる突状部２６を多数縞状に設け、そのうち一方の傾斜面２７を、入射する太陽光を同入射側又は直上側に反射させる太陽光反射面とした。そして、第１傾斜面２７が建物本体１１の逆側を向くようにして、バルコニー床仕上げ材２５を建物１０のバルコニー２２に設置した。これにより、太陽光の照り返しが建物本体１１側に差し込むことが防止できる。故に、建物１０において屋内環境を向上させることができる。
【００３７】
春分又は秋分の日射角度を基準とし、春分又は秋分時期に太陽光が直上側に反射されるように太陽光反射面の角度を規定したため（具体的には、図４のθ１を１７．５°以上としたため）、所望とする照り返し防止期間（春分〜夏至〜秋分の期間）において建物本体１１側への照り返しが防止できる。
【００３８】
照り返し防止期間以外の期間（本実施形態では冬期）においては、逆に太陽光の照り返しが許容される。これにより、冬場において、太陽光の照り返しによる居室１１の温度上昇効果が期待できる。
【００３９】
なお、本発明は上記実施形態の記載内容に限定されず、例えば次のように実施しても良い。
【００４０】
上記実施形態では、バルコニー床仕上げ材２５の表面に直線状をなす多数の溝を形成し、それにより、同じく直線状の突状部２６を形成したが、これを変更する。例えば、図５の（ａ）に示すように、バルコニー床仕上げ材２５の表面に、折れ線状をなす多数の溝を形成し、それにより、同じく折れ線状の突状部を形成しても良い。又は、図５の（ｂ）に示すように、バルコニー床仕上げ材２５の表面に、波線状をなす多数の溝を形成し、それにより、同じく波線状の突状部を形成しても良い。上記のように、突状部（溝）を折れ線状、波線状とすることにより、バルコニー床仕上げ材２５の強度アップの効果も期待できる。また、強度を確保しつつ、バルコニー床仕上げ材２５の肉厚を薄くすることが可能となる。
【００４１】
バルコニー床仕上げ材２５において、各床仕上げ材２５が隣接する側部に、各床仕上げ材２５同士を結合するための係止結合部を形成する構成としても良い。係止結合部は、例えば鉤形状又は凹凸状などをなすものとする。これにより、バルコニー床仕上げ材２５をバルコニー２２に設置した場合の位置ズレ防止等が可能となる。
【００４２】
上記実施形態では、バルコニー床仕上げ材２５を合成樹脂により射出成形したが、これを変更し、他の製法又は他の材料により作製することも可能である。例えば、バルコニー床仕上げ材を陶磁製、金属製などとする。
【００４３】
また、バルコニー床仕上げ材２５を長尺シート状とし、必要な長さに切り取って使用できるようにしても良い。この場合、柔軟性を有する合成樹脂材料などによりバルコニー床仕上げ材を作製し、ロール状に巻回しておく。そして、必要量ずつ長さを測って切断し、使用する。
【００４４】
上記実施形態では、春分〜夏至〜秋分の期間を照り返し防止期間とし、当該期間において建物本体１１側への照り返しが防げるようにバルコニー床仕上げ材２５の太陽光反射面（第１傾斜面２７）の傾斜角度を規定したが、その照り返し防止期間を適宜変更し、その変更に伴い太陽光反射面（第１傾斜面２７）の傾斜角度を変更することも可能である。例えば、夏期のみの照り返し防止を図る場合には、太陽光反射面（第１傾斜面２７）の傾斜角度を上記角度（最小角度＝１７．５°）よりも小さめにする。
【００４５】
上記実施形態では、二階建て建物１０において二階部分のバルコニーに本発明の屋外用床仕上げ材（バルコニー床仕上げ材２５）を設置した事例について説明したが、他の用途にも適用できる。例えば、建物の一階部分に設けたテラスやデッキなどに本発明の屋外用床仕上げ材を設置することも可能である。
【図面の簡単な説明】
【００４６】
【図１】建物の外観構成の一部を示す図。
【図２】（ａ）はバルコニー床仕上げ材を示す斜視図、（ｂ）はバルコニー床仕上げ材の断面図。
【図３】バルコニー床仕上げ材による太陽光反射の様子を示す略図。
【図４】バルコニー床仕上げ材の具体的な寸法等を示す図。
【図５】別の形態におけるバルコニー床仕上げ材を示す図。
【図６】屋外用床仕上げ材の傾斜角度の規定について説明するための略図。
【図７】従来技術における建物のバルコニー部分を示す図。
【符号の説明】
【００４７】
１０…建物、１１…外壁、２１…バルコニー、２５…バルコニー床仕上げ材、２６…突状部、２７…第１傾斜面、２８…第２傾斜面。
【図１】
2007285063.tif 000003
【図２】
2007285063.tif 000004
【図３】
2007285063.tif 000005
【図４】
2007285063.tif 000006
【図５】
2007285063.tif 000007
【図６】
2007285063.tif 000008
【図７】
2007285063.tif 000009